(57)【特許請求の範囲】
【請求項１】
傾斜配置された一対の平行な側板の上側に、予め段状に切り欠きによって形成された複数の水平段部に、それぞれ踏み板が雛段状に載せられ固定され、蹴込板が、下段側の踏み板の後端部と上段側の踏み板の前端部との間に立設されるように設けられた階段構造であって、踏み板の後端部が、上段側の水平段部の前端面下部に形成された凹部に嵌合されると共に、踏み板の前部下面に形成された凹部に、水平段部の前端部上面に形成された凸部と蹴込板の上端部が嵌合され、かつ踏み板の後部上面に形成された凹溝に蹴込板の下端部が嵌合されていることを特徴とする階段構造。
【請求項２】
前記水平段部の前端部上面に形成された凸部は、前端部上面に凹部を形成することによりそれより前側の部位を凸部としたものであって、その前端部上面の凹部に、前記踏み板の後端部下面に凹部が形成されその凹部と前記踏み板の前部下面に形成された凹部との間に生じる凸部を嵌合させることを特徴とする請求項１に記載の階段構造。
【請求項３】
前記水平段部の前端部上面に形成された凸部に向かって、釘等を打ち込み可能な凹溝が踏み板の前端部上面に形成されたその凹溝に、踏み板の前端部及び前端面を覆う滑り止めの下面に形成された凸部が脱着自在に嵌着されるよう構成されていることを特徴とする請求項１又は２に記載の階段構造。
【発明の詳細な説明】
【０００１】
【発明の属する技術分野】
本発明は、住宅等に使用される階段構造に関するものである。
【０００２】
【従来の技術】
従来、箱型階段の変形として、雛段型と称される階段が多用されている。例えば図３に示すように、傾斜配置された一対の平行な側板１，１の上側に、予め段状に切り欠きによって形成された複数の水平段部２に、それぞれ踏み板４が雛段状に載せられたうえ、釘・木ねじ等（以下釘等と呼称）で固定され、さらに、水平段部２の前端面に当接する蹴込板６の下端部が下段側の踏み板４と水平段部２の前端面との間に差し込まれるよう立設されると共に、その上端部が踏み板４の前端部の下面に形成された凹溝４ａに嵌合されたものが知られている。
【０００３】
【発明が解決しようとする課題】
しかしながら、上記従来の階段構造は、次のような問題点を有する。すなわち、（ア）仕上がり精度が低い
図３に示すように、各水平段部２上に踏み板４が設置される場合、位置決めが困難であってずれて取付けられると隙間１２が生じたままになることがあった。これは、踏み板４に釘等の打ち込み用の下穴が完全に穿けられていない限り、金槌の手打ちでは、釘Ｎ１等が水平段部２に達するまでには数回の打撃が必要であり、踏み板４が手で押さえられていても打撃の振動によって踏み板４が定位置よりずれてしまうことにあった。電動ドライバーでも略同様であった。
なお、手による踏み板４固定は、片手で金槌を持ち、残る片手だけで踏み板４を保持する必要があるため、作業者に無理な姿勢を強いることになり、作業者の疲労が大きく、労働災害の危険性も高かった。
（イ）踏み板の固定には長い釘等が必要である。
踏み板４は、強度上の配慮から、厚さは、３０〜３６ｍｍに設定される場合が多い。それに伴って、図３に示すように、釘Ｎ１等は、必然的に長さが５０ｍｍ以上の長いものが必要となる。しかし、長い釘は高価である上に、下穴を予めあけておかないと打ち込みにかなり時間がかかり、その抵抗も大きく、折れ曲がったりする。一方、木ネジの場合、ネジ頭が変形してしまい、ドライバー用の溝が潰れてしまう恐れもある。
【０００４】
そこで本発明の目的とするところは、上記従来例の欠点を解消した、施工も容易で、仕上がり精度が高く、長い釘等を必要とせず、安価な階段構造を提供することにある。
【０００５】
【課題を解決するための手段】
上記の目的を達するために、請求項１の発明の階段構造は、傾斜配置された一対の平行な側板（１，１）の上側に、予め段状に切り欠きによって形成された複数の水平段部（２）に、それぞれ踏み板（４）が雛段状に載せられ固定され、蹴込板（６）が、下段側の踏み板（４）の後端部と上段側の踏み板（４）の前端部との間に立設されるように設けられた階段構造であって、踏み板（４）の後端部が、上段側の水平段部（２）の前端面下部に形成された凹部（２ｕ）に嵌合されると共に、踏み板（４）の前部下面に形成された凹部（４ａ）に、水平段部（２）の前端部上面に形成された凸部（２ｎ）と蹴込板（６）の上端部が嵌合され、かつ踏み板（４）の後部上面に形成された凹溝（４ｂ）に蹴込板（６）の下端部が嵌合されていることを特徴とするものである。
【０００６】
また請求項２の発明は、請求項１の発明の構成に加えて、水平段部（２）の前端部上面に形成された凸部（２ｎ）は、前端部上面に凹部（２ｍ）を形成することによりそれより前側の部位を凸部（２ｎ）としたものであって、その前端部上面の凹部（２ｍ）に、踏み板（４）の後端部下面に凹部（４ｖ）が形成されその凹部（４ｖ）と踏み板（４）の前部下面に形成された凹部（４ａ）との間に生じる凸部（４ｕ）を嵌合させることを特徴とするものである。
【０００７】
更に請求項３の発明は、請求項１又は２の発明の構成に加えて、水平段部（２）の前端部上面に形成された凸部（２ｎ）に向かって、釘（Ｎ２）等を打ち込み可能な凹溝（４ｃ）が踏み板（４）の前端部上面に形成されたその凹溝（４ｃ）に、踏み板（４）の前端部及び前端面を覆う滑り止め（９）の下面に形成された凸部（９ａ）が脱着自在に嵌着されるよう構成されていることを特徴とするものである。
【０００８】
なお、上記の課題を解決するための手段に記載された括弧内の記号は図面及び後述する発明の実施の形態に記載された記号に対応するものである。
【０００９】
請求項１の発明によれば、踏み板の後端部が、上段側の水平段部の前端面に形成された凹部に嵌合されると共に、踏み板の前部下面に形成された凹部に、水平段部の前端部上面に形成された凸部と蹴込板の上端部が嵌合されることによって、水平段部に対する踏み板の位置決めが高精度で自動的に行われる。そのうえ、施工時に作業者の肘等で、踏み板が水平段部に向かって押さえられれば、上下方向の変位が拘束され、水平段部への載置の位置決めが、極めて正確になされる。したがって、蹴込板の位置も隙間なく定まる。
【００１０】
踏み板を水平段部に固定するに当たっては、さらに、作業者は一方の手で釘等の位置・姿勢を保持し、他方の手でその頭を叩き（又は回し）、水平段部に押し込むことになるが、その間、踏み板は上述のように保持されているため、変位することはなく、正確な位置に固定される。したがって、作業者に無理な姿勢を強いることなく安全で作業者の疲労も小さい。
【００１１】
さらに、踏み板の前部分や踏み板の後部分に凹部が形成された部分はその分だけ板厚が薄くなっているので、従来例に比較して短く、安価な釘等の使用が可能となり、それだけ押し込み長さが減少し、水平段部に向かっての釘打ちも容易となる。
【００１２】
また請求項２の発明によれば、請求項１の発明の作用効果に加えて、水平段部の前端部上面の凹部に、踏み板の下面の凸部が嵌合されるので、踏み板の位置決めが一層高精度に行われる。
【００１３】
更に請求項３の発明によれば、請求項１又２の発明の作用効果に加えて、踏み板の前端部上面に形成された凹溝によって板厚が一層薄くなっているので、さらに短く、安価な釘類の使用が可能となり、それだけ押し込み長さが減少し、水平段部に向かっての釘打ちも容易となる。そのうえ、凹溝内に打ち込まれた釘類の頭は、滑り止めの凸部の嵌着によって覆われるため、外観が向上する。
【００１４】
【発明の実施の形態】
本発明の実施の形態例に係る階段構造について図面を参照して説明すると、図１はその縦断面図、図２は図１の要部の分解断面図である。
【００１５】
本発明の実施の形態例に係る階段構造は、傾斜配置された一対の平行な側板１，１の上側に、予め段状に切り欠きによって形成された複数の水平段部２に、それぞれ踏み板４が雛段状に載せられたうえ、釘等Ｎ２で固定され、蹴込板６が、下段側の踏み板４の後端部と上段側の踏み板４の前端部との間に立設されるように設けられている。
【００１６】
側板１について説明すると、水平段部２の前端部上面には凹部２ｍが形成されていて、凹部２ｍよりも前側の上面には凸部２ｎが形成され、凹部２ｍよりも後側の上面にも凸部が形成されている。また、上段側の水平段部２の前端面下部には、踏み板４の後端部が嵌合可能に、水平方向に向けて凹部２ｕが形成されている。凹部２ｕには面取りが施されていて踏み板４を取付け易くしてある。
【００１７】
踏み板４について説明すると、前部下面には凹部４ａが形成されており、後端部下面には凹部４ｖが形成されている。その結果、その凹部４ｖと踏み板４の前部下面に形成された凹部４ａとの間には凸部４ｕが形成される。また、踏み板４の後部上面には凹溝４ｂが形成され、かつ前端部上面には凹溝４ｃが形成されている。
【００１８】
そして、踏み板４の前部下面に形成された凹部４ａに、水平段部２の前端部上面に形成された凸部２ｎと蹴込板６の上端部が嵌合され、かつ踏み板４の後部上面に形成された凹溝４ｂに蹴込板６の下端部が嵌合されるようになっている。また、このとき水平段部２の前端部上面に形成された凹部２ｍに、踏み板４の下面に形成された凸部４ｕが嵌合されるようになっている。
【００１９】
また、踏み板４の前端部上面に形成された凹溝４ｃには、水平段部２の前端部に形成された凸部２ｎに向かって、釘Ｎ２が打ち込み可能であり、その凹溝４ｃには、踏み板４の前端部及び前端面４ｔを覆う滑り止め９の下面に形成された凸部９ａが脱着自在に嵌着されるよう構成されている。
【００２０】
以上のように構成された階段構造によれば、踏み板４の後端部が、上段側の水平段部２の前端面に形成された凹部２ｕに嵌合されると共に、踏み板４の前部下面に形成された凹部４ａに、水平段部２の前端部上面に形成された凸部２ｎと蹴込板６の上端部が嵌合されることによって、水平段部２に対する踏み板４の位置決めが高精度で自動的に行われる。
そのうえ、幅方向の位置調整後、施工時に作業者の肘等で、踏み板４が水平段部２に向かって押さえられれば、上下方向の変位が拘束され、水平段部２への載置の位置決めが、極めて正確になされる。したがって、蹴込板６の位置も隙間なく定まる。
【００２１】
踏み板４を釘Ｎ２類によって水平段部２に固定するに当たっては、さらに、作業者は一方の手で釘Ｎ２等の位置・姿勢を保持し、他方の手で金槌（又はドライバ）を持ってその頭を叩き（又は回し）、水平段部２に押し込むことになるが、その間、踏み板４は上述のように強固に保持されているため、変位することはなく、正確な位置に固定される。したがって、作業者に無理な姿勢を強いることなく安全で作業者の疲労も小さい。
この間に、水平段部２の前端面に当接するよう、上段側の踏み板４の凹部４ａと下段側の踏み板４の凹溝４ｂに対して、蹴込板６の上下各端部が嵌合される。そのため、仕上がり精度が高く、蹴込板６が傾いたり、水平段部２の前端面との間に隙間が生じたりすることはない。なお、その前に、踏み板４の凹溝４ｂ内には水平段部２に向かって釘Ｎ２類が打ち込まれる。
【００２２】
さらに、踏み板４の前部分や踏み板４の後部分に凹部４ａ，４ｖが形成された部分はその分だけ板厚が薄くなっているので、従来例に比較して短く、安価な釘等の使用が可能となり、それだけ押し込み長さが減少し、水平段部２に向かっての釘打ちも容易となる。
【００２３】
また踏み板４の凹溝４ｃが形成された部分は、凹溝４ｃによっても板厚がさらに薄くなっており、さらに短く、安価な釘類Ｎ２の使用が可能となり、それだけ押し込み長さが減少し、水平段部２に向かっての釘打ちも容易となる。なお、凹溝４ｂ，４ｃ内に打ち込まれた釘Ｎ２の頭は、蹴込板６の下端部や滑り止め９の凸部９ａの嵌合によって覆われるため、外からは見えず、外観が向上する。
【００２４】
【発明の効果】
請求項１の発明によれば、踏み板の後端部が、上段側の水平段部の前端面に形成された凹部に嵌合されると共に、踏み板の前部下面に形成された凹部に、水平段部の前端部上面に形成された凸部と蹴込板の上端部が嵌合されることによって、水平段部に対する踏み板の位置決めが高精度で自動的に行われる。そのうえ、施工時に作業者の肘等で、踏み板が水平段部に向かって押さえられれば、上下方向の変位が拘束され、水平段部への載置の位置決めが、極めて正確になされる。したがって、蹴込板の位置も隙間なく定まる。
【００２５】
踏み板を水平段部に固定するに当たっては、さらに、作業者は一方の手で釘等の位置・姿勢を保持し、他方の手でその頭を叩き（又は回し）、水平段部に押し込むことになるが、その間、踏み板は上述のように保持されているため、変位することはなく、正確な位置に固定される。したがって、作業者に無理な姿勢を強いることなく安全で作業者の疲労も小さい。
【００２６】
さらに、踏み板の前部分や踏み板の後部分に凹部が形成された部分はその分だけ板厚が薄くなっているので、従来例に比較して短く、安価な釘等の使用が可能となり、それだけ押し込み長さが減少し、水平段部に向かっての釘打ちも容易となる。
【００２７】
また請求項２の発明によれば、請求項１の発明の作用効果に加えて、水平段部の前端部上面の凹部に、踏み板の下面の凸部が嵌合されるので、踏み板の位置決めが一層高精度に行われる。
【００２８】
更に請求項３の発明によれば、請求項１又２の発明の作用効果に加えて、踏み板の前端部上面に形成された凹溝によって板厚が一層薄くなっているので、さらに短く、安価な釘類の使用が可能となり、それだけ押し込み長さが減少し、水平段部に向かっての釘打ちも容易となる。そのうえ、凹溝内に打ち込まれた釘類の頭は、滑り止めの凸部の嵌着によって覆われるため、外観が向上する。
【図面の簡単な説明】
【図１】本発明の実施の形態例に係る階段構造を示す縦断面図である。
【図２】図１の要部の分解断面図である。
【図３】従来例に係る階段構造を示す縦断面図である。
【符号の説明】
１        側板
２        水平段部
２ｍ      凹部
２ｎ      凸部
２ｕ      凹部
４        踏み板
４ａ      凹部
４ｂ      凹溝
４ｃ      凹溝
４ｕ      凸部
４ｖ      凹部
４ｔ      前端面
６        蹴込み板
９        滑り止め
９ａ      凸部
１２        隙間
Ｎ１        釘
Ｎ２        釘
【図１】
0004008128.tif 000002
【図２】
0004008128.tif 000003
【図３】
0004008128.tif 000004